(57)【要約】【課題】専用直流電源を別途設置することなく、ＳＭＰＳのような電源供給装置を照明装置本体の上部に設置した照明装置において、建築用鋼製天井下地の野縁の割付け形態にかかわらず、電源供給装置と建築用鋼製天井下地の野縁との平面的位置関係の重複を回避可能な照明装置を提供すること。【解決手段】複数の建築用鋼製天井下地の間に形成された開口を塞ぐ複数の天井ボードのうち、一部の天井ボードを取り除いて形成された天井ボード設置空間に設置される枠部材１１と、枠部材１１の上面に設けられる電源供給装置支持部材１２と、枠部材１１の内側に収容される発光素子を有する照明モジュール１４と、を備えた照明器具本体により構成され、枠部材１１は、建築用鋼製天井下地の野縁の下面に設置され、電源供給装置支持部材１２には建築用鋼製天井下地の野縁の配設方向と交差する方向に移動自在に電源供給装置１３が装着されている。【選択図】図５
2014017176.tif 000002
【特許請求の範囲】
【請求項１】
複数の建築用鋼製天井下地の間に形成された開口を塞ぐ複数の天井ボードのうち、一部の前記天井ボードを取り除いて形成された天井ボード設置空間に設置される枠部材と、前記枠部材の上面に設けられる電源供給装置支持部材と、前記枠部材の内側に収容される発光素子を有する照明モジュールと、を備えた照明器具本体により構成され、
前記枠部材は、前記建築用鋼製天井下地の野縁の下面に設置され、
前記電源供給装置支持部材には前記建築用鋼製天井下地の野縁の配設方向と交差する方向に移動自在に電源供給装置が装着されていることを特徴とする照明装置。
【請求項２】
前記電源供給装置支持部材は、平面視において前記枠部材の略中央であって前記建築用鋼製天井下地の野縁の配設方向と交差する方向に延びて設けられていることを特徴とする請求項１に記載の照明装置。
【請求項３】
前記電源供給装置支持部材には、前記電源供給装置をガイドするガイドレールが配設され、前記ガイドレールに対して前記電源供給装置を固定する固定手段が前記電源供給装置に設けられていることを特徴とする請求項１または２に記載の照明装置。
【発明の詳細な説明】
【技術分野】
【０００１】
本発明は、オフィス、店舗および住宅等の部屋内の居住空間を照明する天井材型の照明装置に関する。
【背景技術】
【０００２】
従来、オフィス、店舗や住宅等の部屋内の居住空間を照明する照明装置としては、複数の建築用鋼製天井下地の野縁の間に形成された開口を塞ぐ複数の天井ボードのうち、一部の天井ボードを取り除いて形成された天井ボード設置空間に設置されたベース部材と、ベース部材の正面に設けられる正面パネルと、ベース部材及び正面パネル間に形成された収容空間に収容された発光素子を有する照明モジュールとを備えた照明器具本体により構成され、照明器具本体は、野縁の下面に設置され、照明器具本体の端縁部には天井ボード設置空間に嵌め込み固定する固定手段が設けられた照明装置が知られている（特許文献１参照）。
【先行技術文献】
【特許文献】
【０００３】
【特許文献１】特開２０１１−２２２３０１号公報（第４頁、第1図）
【発明の概要】
【発明が解決しようとする課題】
【０００４】
しかしながら、特許文献１に記載の発明にあっては、照明器具本体の上側（天井側）が板状のベース部材により覆われ、ベース部材の下側（内側）に設けられたＬＥＤ基板の上面に電源を供給する端子台がベース部材の上側に突出して固定的に設置され、かつ、ＬＥＤ基板とは別体に設けられた専用直流電源から端子台に電源を供給するようにしているため、以下の問題があった。
（１） 専用直流電源を別途設置する必要があり、照明装置全体が大型化する。
（２） 電源を供給する端子台がベース部材の上側に突出して固定的に設置されているため、野縁の割付け形態、例えば、直貼用下地のように野縁の間隔が２２７ｍｍである場合など、端子台と野縁との平面的位置関係が重複し、端子台が障害となって照明器具本体を野縁の下面に設置できない。
（３） 仮に、専用直流電源を廃止し、端子台の代わりにスイットモード電源（ＳＭＰＳ：Ｓｗｉｔｃｅｄ  Ｍｏｄｅ  Ｐｏｗｅｒ  Ｓｕｐｐｌｙ）を設置した場合、ＳＭＰＳが野縁との平面的位置関係が重複し、ＳＭＰＳが障害となって照明器具本体を野縁の下面に設置できない。
【０００５】
本発明は、このような問題点に着目してなされたもので、専用直流電源を別途設置することなく、ＳＭＰＳのような電源供給装置を照明装置本体の上部に設置した照明装置において、建築用鋼製天井下地の野縁の割付け形態にかかわらず、電源供給装置と建築用鋼製天井下地の野縁との平面的位置関係の重複を回避可能な照明装置を提供することを目的とする。
【課題を解決するための手段】
【０００６】
前記課題を解決するために、本発明の照明装置は、
複数の建築用鋼製天井下地の間に形成された開口を塞ぐ複数の天井ボードのうち、一部の前記天井ボードを取り除いて形成された天井ボード設置空間に設置される枠部材と、前記枠部材の上面に設けられる電源供給装置支持部材と、前記枠部材の内側に収容される発光素子を有する照明モジュールと、を備えた照明器具本体により構成され、
前記枠部材は、前記建築用鋼製天井下地の野縁の下面に設置され、
前記電源供給装置支持部材には前記建築用鋼製天井下地の野縁の配設方向と交差する方向に移動自在に電源供給装置が装着されていることを特徴としている。
この特徴によれば、専用直流電源を別途設置することなく、ＳＭＰＳのような電源供給装置を照明装置本体の上部に設置した照明装置において、建築用鋼製天井下地の野縁の割付け形態にかかわらず、電源供給装置と建築用鋼製天井下地の野縁との平面的位置関係の重複を回避することができ、照明装置全体が大型化することが防止されるとともに、ＳＭＰＳが障害となって照明器具本体を野縁の下面に設置できないという問題を解消することができる。
【０００７】
本発明の照明装置は、
前記電源供給装置支持部材は、平面視において前記枠部材の略中央であって前記建築用鋼製天井下地の野縁の配設方向と交差する方向に延びて設けられていることを特徴としている。
この特徴によれば、枠部材の上側（天井側）の全部をベース部材により覆うことなく、枠部材の略中央に建築用鋼製天井下地の野縁の配設方向と交差する方向に延びて電源供給装置支持部材を設けるため、照明装置を軽量化することができる。
【０００８】
本発明の照明装置は、
前記電源供給装置支持部材には、前記電源供給装置をガイドするガイドレールが配設され、前記ガイドレールに対して前記電源供給装置を固定する固定手段が前記電源供給装置に設けられていることを特徴としている。
この特徴によれば、簡単な構成で、電源供給装置の移動及び固定を行うことができる。
【図面の簡単な説明】
【０００９】
【図１】（ａ）は実施例１における建築用天井下地の野縁の標準割付けを示す斜視図、（ｂ）は同建築用天井下地の野縁の標準割付けにおける天井ボード及び照明装置の配置関係を示す平面図である。
【図２】（ａ）は実施例２における建築用天井下地の野縁の標準割付けを示す斜視図、（ｂ）は同建築用天井下地の野縁の標準割付けにおける天井ボード及び照明装置の配置関係を示す平面図である。
【図３】（ａ）は実施例３における建築用天井下地の野縁の標準割付けを示す斜視図、（ｂ）は同建築用天井下地の野縁の標準割付けにおける天井ボード及び照明装置の配置関係を示す平面図である。
【図４】実施例１における照明装置の下面図である。
【図５】実施例１における照明装置の上面図である。
【図６】図５のＡ−Ａ断面図である。
【図７】図５のＢ−Ｂ断面図である。
【発明を実施するための形態】
【００１０】
本発明に係る照明装置を実施するための形態を実施例に基づいて以下に説明する。
【実施例１】
【００１１】
実施例１に係る照明装置につき、図１、図４ないし図７を参照して説明する。
【００１２】
図１（ｂ）において、全体を示す符号１は、この実施の形態に好適に用いられる天井照明システムの一部を概略的に示している。この天井照明システム１は、図１（ａ）に示すように、オフィス、店舗や住宅等の部屋内の天井に建築用鋼製天井下地２を格子状に設置し、その建築用鋼製天井下地２に天井ボード３や照明装置１０などをネジ締め固定するシステム天井工法により施工される。
【００１３】
この建築用鋼製天井下地２は、図１（ａ）に示すように、天井等の建造物の所定の部位に垂下して設けられた吊りボルト４により吊り上げられた野縁受５及び該野縁受５に直交するようにして野縁受５に固定された野縁６より構成されている。野縁６は、ダブル野縁６−１とシングル野縁６−２よりなり、ダブル野縁６−１の間隔は４５５ｍｍであって、中間位置にシングル野縁６−２が配設され、ダブル野縁６−１とシングル野縁６−２との間隔は約２２７ｍｍである。
【００１４】
図１（ｂ）に示すように、建築用鋼製天井下地２のダブル野縁６−１で形成される格子目の一部は照明装置１０により塞がれている。その格子目の残部は天井ボード３により塞がれている。本実施例の場合、天井ボード３及び照明装置１０の平面寸法は４５５×９１０ｍｍであり、照明装置１０を取り付ける部分の１枚の天井ボード３が取り外され、天井ボード３の１枚分の格子目に照明装置１０が嵌め込まれている。
【００１５】
図４及び図５において、全体を示す符号１０は、天井ボード設置空間に嵌め込み固定される形式の照明装置の一構成例を示している。本例において照明装置はＬＥＤ照明装置であり、このＬＥＤ照明装置１０は、主として、天井ボード設置空間に設置される枠部材１１と、該枠部材１１の上面に設けられる電源供給装置支持部材１２と、該電源供給装置支持部材１２に装着される電源、すなわち本例においてはスイットモード電源（ＳＭＰＳ：Ｓｗｉｔｃｅｄ  Ｍｏｄｅ  Ｐｏｗｅｒ  Ｓｕｐｐｌｙ）である電源供給装置１３と、枠部材１１の内側に収容される発光素子を有する照明モジュール１４とより構成されている。
【００１６】
枠部材１１は、例えばアルミニウム材などの金属材料からなり、それぞれ１対の長辺部材と短辺部材とが井桁状に配置され、交差する４隅においてブラケット１５により固定され、全体として、長方形の枠を形成している。図６に示すように、枠部材１１は、複数の建築用鋼製天井下地の間に形成された開口を塞ぐ複数の天井ボード３のうち、一部の前記天井ボードを取り除いて形成された天井ボード設置空間に設置されるものであって、野縁６の下面に止めネジ１６などの固定手段により固定されている。
【００１７】
枠部材１１の断面形状は、図６に示すように、基本的骨格は略Ｈ型をしており、その下面はカバー片１７により覆われようになっている。また、カバー片１７は内側に向けて略水平に突出した下部内側突辺１７−１、及び、外側に向けて上方に傾斜した外側傾斜突片１７−２を備えている。枠部材１１の中段位置には内側に向けて略水平に突出した上部内側突辺１８が設けられ、下部内側突辺１７−１と協働して照明モジュール１４の外周部を狭持して支持するようになっている。また、外側傾斜突片１７−２は隣接する天井ボード３の下面に当接して枠部材１１と天井ボード３との隙間を覆うようになっている。枠部材１１の高さは、例えば、本実施例１の場合、約１７ｍｍであり、天井ボード３の厚みが９．５ｍｍであることから、枠部材１１の下面は天井ボード３の下面よりわずかに７．５ｍｍ突出しているにすぎない。
【００１８】
枠部材１１のカバー片１７には、止めネジ１６を挿入するための孔１９が設けられ、該孔１９にはキャップ２０が着脱自在に装着される。図４に示すように、孔１９は複数設けられるものであって、本例では１対の長辺部材のそれぞれに４個、１対の短片部材のそれぞれに３個設けられ、合計で１４個設けられている。このように孔１９が多数設けられる理由は、野縁６の種々の割付状況に対応できるようにするためのものである。本実施例では、図１（ｂ）に示すように、１対の長辺部材の位置にそれぞれダブル野縁６−１が存在し、長辺部材の真ん中にシングル野縁６−２が長手方向に延びているため、短片部材に設けられた３個の孔１９のうち、中央の孔１９以外の孔１９は使用されない。
【００１９】
図４及び５に示すように、枠部材１１の長片部材及び短片部材の交差する４隅に形成される矩形の欠落部には例えば樹脂製のモールドキャップ２１が装着されて欠落部を埋めるようになっており、枠部材１１の長片部材、短片部材及びモールドキャップ２１をブラケット１５により止めネジ２２を介して一体的に固定するようになっている。
【００２０】
図５及び図７に示すように、電源供給装置支持部材１２は、枠部材１１の上部内側突辺１８の上面に設けられ、平面視において枠部材１１の略中央であって野縁６の配設方向と交差する方向、すなわち、１対の短辺部材に跨るように設けられている。電源供給装置支持部材１２は、例えばアルミニウム材などの金属材料からなり、板状をしており、その両端部において枠部材１１の長辺部材に止めネジ２３などの固定手段で固定されている。また、電源供給装置支持部材１２の上面には、電源供給装置１３をガイドする１対のガイドレール２４が配設され、電源供給装置１３が野縁６の配設方向と直交する方向に移動可能となっている。
【００２１】
このため、専用直流電源を別途設置することなく、ＳＭＰＳ１３のような電源供給装置を照明装置本体の上部に設置した照明装置において、建築用鋼製天井下地の野縁６の割付け形態にかかわらず、電源供給装置１３と建築用鋼製天井下地の野縁６との平面的位置関係の重複を回避することができ、照明装置全体が大型化することが防止されるとともに、ＳＭＰＳ１３が障害となってＬＥＤ照明装置１０を野縁６の下面に設置できないという問題を解消することができる。
【００２２】
電源供給装置支持部材１２の両端部には、それぞれ、アイボルト２５、２５が装着され、これらのアイボルト２５、２５間に脱落防止用のワイヤ（図示せず）が野縁受５若しくは野縁６の上方を通って掛け渡され、万一の場合でも、ＬＥＤ照明装置１０の落下を防止するようになっている。
【００２３】
スイットモード電源（「ＳＭＰＳ」ともいう。）１３は、交流電源を直流に変換するものであって、外形が略直方体をなしており、電源供給装置支持部材１２の上面のガイドレール２４の方向が長手方向になるように電源供給装置支持部材１２に装着されている。ＳＭＰＳ１３の長手方向の両端には照明モジュール１４に電源を供給するリード線（図示せず）がそれぞれ接続されている。ＳＭＰＳ１３の下部にはガイドレール２４に係合する係合溝が設けられ、ガイドレール２４に沿って移動可能になっている。そして、ＳＭＰＳ１３には電源供給装置支持部材１２に対してＳＭＰＳ１３を固定する固定ネジ２６などの固定手段が設けられ、所望の位置において固定出来るようになっている。
【００２４】
ＳＭＰＳ１３の長手方向の長さは野縁６の内法における配設間隔より小さく、かつ、その高さは電源供給装置支持部材１２の上面と野縁受５の下面との間の距離よりも小さい。このため、平面視においてＳＭＰＳ１３が野縁６と重複する場合には、ＳＭＰＳ１３を隣接する野縁６の間に移動させることにより、ＳＭＰＳ１３と野縁６との干渉を解消することができるため、ＳＭＰＳ１３が障害となって所望の位置に照明装置を取り付けることができないという問題を回避することができる。
【００２５】
図６に示すように、照明モジュール１４は、周縁が枠部材１１に支持されるものであって、全体として薄い板状をなし、少なくとも一側面にＬＥＤ光源２７を備えている。また、最下面から上方に向かって、順に、拡散板２８、２枚の導光板２９、反射シート３０及びカバー板３１が積層状に設けられている。光源としてはＬＥＤに限らず、例えば直流を電源とする光源であればよく、また、装着位置は一側面に限らず、全周に設けるようにしてもよい。
【００２６】
ＬＥＤ光源２７には、ＳＭＰＳ１３から図示しないリード線を介して給電される。なお、ＳＭＰＳ１３は上記のように移動可能であるから、ＳＭＰＳ１３とＬＥＤ光源２７とを接続するリード線もＳＭＰＳ１３の移動分だけ余裕をもって配線されている。
【実施例２】
【００２７】
図２（ａ）は、実施例２における建築用天井下地の野縁の標準割付けを示す斜視図、図２（ｂ）は同建築用天井下地の野縁の標準割付けにおける天井ボード及び照明装置の配置関係を示す平面図である。実施例２は、野縁６の割付並びに天井ボード３のサイズ、照明装置の配置及び電源供給装置支持部材の配置関係が実施例１と相違するが、ＬＥＤ照明装置１０などの基本構成は実施例１と同じであるので、同じ部分の説明は省略する。
【００２８】
図２（ａ）に示すように、野縁６は、ダブル野縁６−１とシングル野縁６−２よりなり、ダブル野縁６−１の間隔は９００ｍｍであって、ダブル野縁６−１の間に２本のシングル野縁６−２が配設され、隣接する野縁６の間隔は約３００ｍｍである。
【００２９】
図２（ｂ）に示すように、本実施例の場合、天井ボード３の平面寸法は９１０×１８２０ｍｍである。天井ボード３は長手方向が野縁６の配列方向に沿うように配設され、照明装置１０は野縁６の配列方向に直交するように長手方向が配設され、天井ボード３の一方の短辺の端部からその一部を切欠くようにして照明装置１０が設けられている。
【００３０】
また、本実施例の場合、電源供給装置支持部材１２は、平面視において枠部材１１の略中央であって野縁６の配設方向と交差する方向、すなわち、１対の短辺部材に跨るように設けられている。このため、電源供給装置１３は野縁６の配設方向と交差する方向に移動可能である。
【００３１】
本例の場合、照明装置１０は、２本のシングル野縁６−２を跨ぐようにしてダブル野縁６−１の間に配設されるものであるから、ＳＭＰＳ１３とシングル野縁６−２との平面的位置関係が重複すると、ＳＭＰＳ１３とシングル野縁６−２が干渉して照明装置１０を設けることができない。本発明においては、ＳＭＰＳ１３が野縁６の配列方向に直交する方向に移動可能であるため、ＳＭＰＳ１３とシングル野縁６−２との平面的位置関係が重複した場合には、ＳＭＰＳ１３を野縁６の配列方向と直交する方向に移動することによりＳＭＰＳ１３とシングル野縁６−２との干渉を回避することができる。
【実施例３】
【００３２】
図３（ａ）は、実施例３における建築用天井下地の野縁の標準割付けを示す斜視図、図３（ｂ）は同建築用天井下地の野縁の標準割付けにおける天井ボード及び照明装置の配置関係を示す平面図である。実施例３は、野縁６の割付並びに天井ボード３のサイズ及び照明装置の配置関係が実施例１と相違するが、ＬＥＤ照明装置１０などの基本構成は実施例１と同じであるので、同じ部分の説明は省略する。
【００３３】
図３（ａ）に示すように、野縁６は、ダブル野縁６−１とシングル野縁６−２よりなり、ダブル野縁６−１の間隔は１８００ｍｍであって、ダブル野縁６−１の間に４本のシングル野縁６−２が配設され、隣接する野縁６の間隔は約３６０ｍｍである。
【００３４】
図３（ｂ）に示すように、本実施例の場合、天井ボード３の平面寸法は９１０×１８２０ｍｍである。天井ボード３は長手方向が野縁６の配列方向と直交するように配設され、照明装置１０は野縁６の配列方向に沿うように長手方向が配設され、天井ボード３の一方の短辺の端部からその一部を切欠くようにして照明装置１０が設けられている。
【００３５】
また、本実施例の場合、電源供給装置支持部材１２は、実施例１と同じく、平面視において枠部材１１の略中央であって野縁６の配設方向と交差する方向、すなわち、１対の長辺部材に跨るように設けられている。このため、電源供給装置１３は野縁６の配設方向と交差する方向に移動する。
【００３６】
本実施例の場合、照明装置１０は、１本のシングル野縁６−２を跨ぐようにしてダブル野縁６−１に沿って配設されるものであるから、ＳＭＰＳ１３とシングル野縁６−２との平面的位置関係が重複すると、ＳＭＰＳ１３とシングル野縁６−２が干渉して照明装置１０を設けることができない。本発明においては、ＳＭＰＳ１３が野縁６の配列方向に直交する方向に移動可能であるため、ＳＭＰＳ１３とシングル野縁６−２との平面的位置関係が重複した場合には、ＳＭＰＳ１３を野縁６の配列方向と直交する方向に移動することによりＳＭＰＳ１３とシングル野縁６−２との干渉を回避することができる。
【００３７】
上記実施例１〜３に係る天井埋込型のＬＥＤ照明装置１０は、複数の建築用鋼製天井下地２の下面にあって、天井ボード３を取り除いた周辺部の天井ボード３間に形成された天井ボード設置空間に設置されるものであって、次に示すような効果が得られる。
【００３８】
先ず、専用直流電源を別途設置することなく、ＳＭＰＳのような電源供給装置を照明装置本体の上部に設置した照明装置において、建築用鋼製天井下地の野縁の割付け形態にかかわらず、電源供給装置と建築用鋼製天井下地の野縁との平面的位置関係の重複を回避することができ、照明装置全体が大型化することが防止されるとともに、ＳＭＰＳが障害となって照明器具本体を野縁の下面に設置できないという問題を解消することができる。また、枠部材の上側（天井側）の全部をベース部材により覆うことなく、枠部材の略中央に建築用鋼製天井下地の野縁の配設方向と交差する方向に延びて電源供給装置支持部材を設けるため、照明装置を軽量化することができる。また、電源供給装置支持部材には、電源供給装置をガイドするガイドレールが配設され、ガイドレールに対して電源供給装置を固定する固定手段が電源供給装置に設けられているため、簡単な構成で、電源供給装置の移動及び固定を行うことができる。更に、電源供給装置支持部材１２の両端部には、それぞれ、アイボルト２５、２５が装着され、これらのアイボルト２５、２５間に脱落防止用のワイヤ（図示せず）が野縁６の上方を通って掛け渡されているため、万一の場合でも、ＬＥＤ照明装置１０の落下を防止することができる。
【００３９】
以上、本発明の実施例を図面により説明してきたが、具体的な構成はこれら実施例に限られるものではなく、本発明の要旨を逸脱しない範囲における変更や追加があっても本発明に含まれる。
【００４０】
例えば、前記実施例では、照明装置としてＬＥＤ照明装置１０を例として説明しているが、これに限定されることなく、交流電源を直流電源に変換させる装置を備えた照明装置であれば光源はＬＥＤでなくともよい。
【００４１】
また、例えば、前記実施例では、ＬＥＤ照明装置１０の平面的サイズについては特に説明していないが、平面的サイズは１種類に限らず、複数のサイズを採用することができる。その場合、照明装置の電源供給装置と野縁との重複は、一層、避けられない場合が想定されるから、本発明のように電源供給装置（例えば、ＳＭＰＳ）と野縁との干渉を生じさせない構成が必要とされる。
【００４２】
また、例えば、前記実施例では、枠部材１１は、全体として、長方形をしている場合について説明しているが、これに限らず、円形、楕円形、正方形あるいはその他の多角形であってもよい。
【符号の説明】
【００４３】
１                天井照明システム
２                建築用鋼製天井下地
３                天井ボード
４                吊りボルト
５                野縁受
６                野縁
１０              照明装置
１１              枠部材
１２              電源供給装置支持部材
１３              電源供給装置
１４              照明モジュール
１５              ブラケット
１６              止めネジ
１７              カバー片
１７−１          下部内側突辺
１７−２          外側傾斜突片
１８              上部内側突辺
１９              孔
２０              キャップ
２１              モールドキャップ
２２，２３        止めネジ
２４              ガイドレール
２５              アイボルト
２６              固定ネジ
２７              光源
２８              拡散板
２９              導光板
３０              反射シート
３１              カバー板
【図１】
2014017176.tif 000003
【図２】
2014017176.tif 000004
【図３】
2014017176.tif 000005
【図４】
2014017176.tif 000006
【図５】
2014017176.tif 000007
【図６】
2014017176.tif 000008
【図７】
2014017176.tif 000009